(57)【要約】【課題】オペレータによる労を要することなく、自動的に連動テーブルの作成ができる自動火災報知システムを提供する。【解決手段】受信機１は、多重伝送線Ｌを通じて端末アドレス問い合わせ信号を出力し、中継器３や火災感知器４より返信される端末アドレスを受信して、各々の端末アドレスを自動登録する端末アドレス自動登録モードを有する。【選択図】図１
2004030049.tif 000002
【特許請求の範囲】
【請求項１】
受信機より導出された多重伝送線に、火災感知器を接続した中継器を接続した自動火災報知システムにおいて、
上記受信機は、上記多重伝送線を通じて端末アドレス問い合わせ信号を出力し、上記中継器や上記火災感知器より返信される端末アドレスを受信して、各々の端末アドレスを自動登録する端末アドレス自動登録モードを有する自動火災報知システム。
【請求項２】
請求項１において、
上記受信機は、上記端末アドレス自動登録モードを実行中には、端末アドレスの返信のあった各々の端末に対して、端末種別問い合わせ信号を出力し、これを受信した端末から種別データを受信して、各々の端末アドレスと対応付けて自動登録する自動火災報知システム。
【請求項３】
請求項１または請求項２において、
上記受信機には、地区音響装置や防排煙装置などの連動装置が接続されており、
上記端末アドレス自動登録モードを実行中には、自動登録した各々の火災感知器毎に、その感知器発報を受けた際に、いずれの連動装置を作動させるかを自動登録する自動火災報知システム。
【請求項４】
請求項１または請求項２において、
上記受信機には、上記多重伝送線を通じて、上記中継器の前段にアイソレータを接続しており、
上記アイソレータは、請求項１または請求項２の処理をする前段階として、上記受信機と上記中継器との電気的接続を遮断しており、
上記受信機は、上記端末アドレス自動登録モードが実行されると、それぞれのアイソレータに対し、上記端末アドレス問い合わせ信号、上記端末種別問い合わせ信号を順次出力して、各々のアイソレータより返信される端末アドレス、端末種別を対応付けて自動登録する自動火災報知システム。
【請求項５】
請求項４において、
上記受信機は、上記アイソレータ毎に自動登録した端末アドレス、端末種別に基づいて、各々のアイソレータ毎に、棟階情報を自動付加し、
上記アイソレータを順次中継器に電気的接続して、そのアイソレータ毎に、請求項１または請求項２の処理をして、接続されている中継器や火災感知器の端末アドレス、端末種別を、各々のアイソレータの棟階情報に対応付けて自動登録する自動火災報知システム。
【請求項６】
請求項５において、
上記受信機には、棟階情報を登録した、地区音響装置や防排煙装置などの連動装置が接続されており、
上記端末アドレス自動登録モードを実行中には、自動登録した各々の火災感知器毎に、その火災感知器の棟階情報に基づいて、その感知器発報を受けた際に、いずれの連動装置を作動させるかを自動登録する自動火災報知システム。
【発明の詳細な説明】
【０００１】
【発明の属する技術分野】
本発明は、受信機より導出された多重伝送線に、火災感知器を接続した中継器を接続した自動火災報知システムの改良に関する。
【０００２】
【従来の技術】
従来より、マンションなどの集合住宅では、防災の目的から自動火災報知システムが使用されている。
【０００３】
このような自動火災報知システムとしては、例えば、図３に示すようなものがあり、受信機１００より導出した多重伝送線Ｌに、アイソレータ２００、中継器３００、火災感知器４００を順次接続している。
【０００４】
このシステムでは、ある火災感知器４００が発報すると、これを受けた中継器３００が、受信機１００からの状態問い合わせ信号に対して、火災感知器４００の端末アドレスとともに警報信号を出力し、受信機１００が所定の警報処理をなす。また、これとともに、発報した火災感知器４００に対応する地区音響装置や防排煙装置を作動させる。
【０００５】
このような処理を可能とするため、受信機１００には、火災感知器や中継器の端末アドレス毎に、その棟階情報、作動すべき地区音響装置や防排煙装置の棟階情報を対応付けて登録した連動テーブルを備えている。
【０００６】
【発明が解決しようとする課題】
ところで、上記した自動火災報知システムは、連動テーブルを受信機に備えるには、まず、外部の情報処理装置で連動テーブルを作成してから、受信機にインストールさせる必要があった。
【０００７】
そのため、中継器や火災感知器などといった端末の数が増加するだけ、連動テーブルに登録させるべき情報量が増加し、テーブル作成にかかる時間が増加してしまう。
【０００８】
本発明は、上記事情を考慮してなされたものであり、オペレータによる労を要することなく、自動的に連動テーブルの作成ができる自動火災報知システムを提供することを目的としている。
【０００９】
【課題を解決するための手段】
上記目的を達成するために、本発明の請求項１に記載の自動火災報知システムでは、受信機は、多重伝送線を通じて端末アドレス問い合わせ信号を出力し、中継器や火災感知器より返信される端末アドレスを受信して、各々の端末アドレスを自動登録する端末アドレス自動登録モードを有する。
【００１０】
請求項２に記載の自動火災報知システムでは、受信機は、端末アドレス自動登録モードを実行中には、端末アドレスの返信のあった各々の端末に対して、端末種別問い合わせ信号を出力し、これを受信した端末から種別データを受信して、各々の端末アドレスと対応付けて自動登録する。
【００１１】
請求項３に記載の自動火災報知システムでは、受信機には、地区音響装置や防排煙装置などの連動装置が接続されており、端末アドレス自動登録モードを実行中には、自動登録した各々の火災感知器毎に、その感知器発報を受けた際に、いずれの連動装置を作動させるかを自動登録する。
【００１２】
請求項４に記載の自動火災報知システムでは、受信機には、多重伝送線を通じて、中継器の前段にアイソレータを接続しており、アイソレータは、請求項１または請求項２の処理をする前段階として、受信機と中継器との電気的接続を遮断しており、受信機は、端末アドレス自動登録モードが実行されると、それぞれのアイソレータに対し、端末アドレス問い合わせ信号、端末種別問い合わせ信号を順次出力して、各々のアイソレータより返信される端末アドレス、端末種別を対応付けて自動登録する。
【００１３】
請求項５に記載の自動火災報知システムでは、受信機は、アイソレータ毎に自動登録した端末アドレス、端末種別に基づいて、各々のアイソレータ毎に、棟階情報を自動付加し、アイソレータを順次中継器に電気的接続して、そのアイソレータ毎に、請求項１または請求項２の処理をして、接続されている中継器や火災感知器の端末アドレス、端末種別を、各々のアイソレータの棟階情報に対応付けて自動登録する。
【００１４】
請求項６に記載の自動火災報知システムでは、受信機には、棟階情報を登録した、地区音響装置や防排煙装置などの連動装置が接続されており、端末アドレス自動登録モードを実行中には、自動登録した各々の火災感知器毎に、その火災感知器の棟階情報に基づいて、その感知器発報を受けて、いずれの連動装置を作動させるかを自動登録する。
【００１５】
【発明の実施の形態】
以下に、本発明の実施の形態について、図面とともに説明する。図１は、本発明の自動火災報知システムの要部構成の一例を示す図である。
【００１６】
このものは、受信機１より導出した多重伝送線Ｌに、アイソレータ２、中継器３、火災感知器４を順次接続している。
【００１７】
このシステムでは、通常モードでは、ある火災感知器４が発報すると、これを受けた中継器３が、受信機１からの状態問い合わせ信号に対して、火災感知器４の端末アドレスとともに警報信号を出力し、受信機１が所定の警報処理をなす。また、これとともに、発報した火災感知器４に対応する地区音響装置（不図示）や防排煙装置（不図示）といった連動装置を作動させる。
【００１８】
このような処理を可能とするため、受信機１には、火災感知器４００や中継器３００の端末アドレス毎に、その棟階情報、作動すべき連動装置の棟階情報を対応付けて登録した連動テーブルを備えている。
【００１９】
このような連動テーブルの作成のため、本発明は、後述する端末アドレス自動登録モードの実行ができる。そのため、受信機１は、受信機１の制御をするメインＣＰＵ１０と、端末との多重伝送線Ｌを通じた通信をする伝送ＣＰＵ１１と、端末の制御や種別確認をする端末制御部１２と、作成した連動テーブルの状態を一時保管するテーブルＲＡＭ１３と、作成した連動テーブルの記録保管をするテーブルＲＯＭ１４とを備える。
【００２０】
また、メインＣＰＵ１０には、モード切換スイッチＳＷ１と、連動パターン切換スイッチＳＷ２とを備える。
【００２１】
なお、これらの構成部材の機能については後述する。このような構成によれば、図３のフローチャートに示す処理ができる。
【００２２】
すなわち、受信機１の電源が投入されれば、メインＣＰＵ１０は、まず、モード設定の確認をする（１００）。モードが通常モードなら上記した通常の処理をするが、モード切換スイッチＳＷ１によって端末アドレス自動登録モードになっていれば、伝送ＣＰＵ１１によって、多重伝送線Ｌを通じて、端末アドレス問い合わせ信号、端末種別問い合わせ信号を順次出力し、アイソレータ２の端末アドレス、端末種別の受信をして確認をし、これらをメインＣＰＵ１０に送り、これを受けたメインＣＰＵ１０が、アイソレータ２の端末アドレス、端末種別を対応付けた連動テーブルとして、テーブルＲＡＭ１３に一時保管する（１０１〜１０３）。
【００２３】
このとき、メインＣＰＵ１０は、アイソレータ２の端末アドレス、端末種別に基づいて、対応する棟階情報を、テーブルＲＡＭ１３に自動付加しておく。
【００２４】
なお、アイソレータ２は、当初は、受信機１と中継器３との電気的接続を遮断しており、これにより、受信機１からの上記信号が中継器３に伝達されず、アイソレータ２のみに対して伝達できることにより、アイソレータ２のみの端末アドレス、端末種別を確認できる。
【００２５】
そして、メインＣＰＵ１０は、アイソレータ２の端末アドレスの若い順から昇順に、２次側接続制御指令信号を出力し、受信機１と中継器３との電気的接続をさせ（１０４，１０５）、ついで、伝送ＣＰＵ１１によって、そのアイソレータ２側の中継器３や火災感知器４に対して、端末アドレス問い合わせ信号、端末種別問い合わせ信号を順次出力して、これらの端末アドレス、種別情報を受信して確認し、これらをメインＣＰＵ１０に送り、これを受けたメインＣＰＵ１０が、テーブルＲＡＭ１３の連動テーブルで、アイソレータ２毎に追加登録をする（１０６〜１０８）。
【００２６】
受信機１は、ステップ１０４〜１０８の処理をアイソレータ２の数だけ実行し、完了すれば（１０９）、連動設定モードの確認をする（１１１）。
【００２７】
ここでは、メインＣＰＵ１０によって、連動パターン切換スイッチＳＷ２の状態を判断するが、これが一斉鳴動設定になっていれば、連動テーブルで、火災感知器４の棟階情報に基づき、該当個所の連動装置（地区音響装置や防排煙装置など）の作動をさせる設定をする（１１３）。
【００２８】
一方、階別連動設定になっていれば、連動テーブルで、すべての火災感知器４に対し、すべての連動装置の作動をさせる設定をする（１１２）。
【００２９】
そして、上記一連の処理が完了すれば、メインＣＰＵ１０は、テーブルＲＡＭ１３に一時保存されている連動テーブルをテーブルＲＯＭ１４に移し替え、本登録をする（１１４）。
【００３０】
このように、端末アドレス自動登録モードにさえ設定していれば、受信機１の電源を投入するだけで、端末との通信を行って、その端末アドレス、端末種別、棟階情報を自動的に登録するので、オペレータによる労を要することなく、自動的に連動テーブルの作成ができ、短時間のうちに、登録を終了させることができる。
【００３１】
【発明の効果】
以上の説明からも理解できるように、本発明の請求項１に記載の自動火災報知システムでは、受信機は、多重伝送線を通じて端末アドレス問い合わせ信号を出力し、中継器や火災感知器より返信される端末アドレスを受信して、各々の端末アドレスを自動登録する端末アドレス自動登録モードを有するので、オペレータによる労を要することなく、短時間で、端末アドレスの登録をすることができる。
【００３２】
請求項２に記載の自動火災報知システムでは、受信機は、端末アドレス自動登録モードを実行中には、端末アドレスの返信のあった各々の端末に対して、端末種別問い合わせ信号を出力し、これを受信した端末から種別データを受信して、各々の端末アドレスと対応付けて自動登録するので、オペレータによる労を要することなく、短時間で、端末種別の登録をすることができる。
【００３３】
請求項３に記載の自動火災報知システムでは、受信機は、端末アドレス自動登録モードを実行中には、自動登録した各々の火災感知器毎に、その感知器発報を受けて、いずれの連動装置を作動させるかを自動登録するので、連動装置の登録が、オペレータの手を煩わすことなく、自動的にでき、設定時間の短縮が図れる。
【００３４】
請求項４に記載の自動火災報知システムでは、請求項１または請求項２の処理をする前段階として、受信機と中継器との電気的接続を遮断しており、受信機は、端末アドレス自動登録モードが実行されると、それぞれのアイソレータに対し、端末アドレス問い合わせ信号、端末種別問い合わせ信号を順次出力して、各々のアイソレータより返信される端末アドレス、端末種別を対応付けて自動登録するので、アイソレータの電気的接続遮断機能を利用して、火災感知器や中継器の棟階情報を自動登録でき、これを用いて、感知器に連動して作動すべき連動装置を登録でき、利便である。
【００３５】
請求項５に記載の自動火災報知システムでは、アイソレータを順次中継器に電気的接続して、そのアイソレータ毎に、請求項１または請求項２の処理をして、接続されている中継器や火災感知器の端末アドレス、端末種別を、各々のアイソレータの棟階情報に対応付けて自動登録するので、火災感知器毎に作動すべき連動装置を、容易に登録することができる。
【００３６】
請求項６に記載の自動火災報知システムでは、端末アドレス自動登録モードを実行中には、自動登録した各々の火災感知器毎に、その火災感知器の棟階情報に基づいて、その感知器発報を受けた際に、いずれの連動装置を作動させるかを自動登録するので、オペレータの作業によることなく、自動的にいずれの連動装置を作動させるかが登録でき、作業時間の短縮が図れる。
【図面の簡単な説明】
【図１】本発明の自動火災報知システムの要部構成の一例を示す図である。
【図２】自動火災報知システムの動作について説明するためのフローチャートである。
【図３】従来の自動火災報知システムを示す図である。
【符号の説明】
１・・・受信機
２・・・アイソレータ
３・・・中継器
４・・・火災感知器
ＳＷ１・・・モード切換スイッチ
【図１】
2004030049.tif 000003
【図２】
2004030049.tif 000004
【図３】
2004030049.tif 000005